(57)【要約】【課題】複数の入力器が用いられる場合に対して対応できるうえで、描画を行うにあたり、各利用者の利便性を高めることができる描画装置を提供する。【解決手段】自器の識別データを夫々有し、描画に係る指示を行なう複数のペン型入力器２００、３００から、該指示を受け付け、該指示に基づいて画像が表示される表示画面１０１を有する電子ホワイトボード１００において、表示画面１０１上のペン型入力器２００、３００の位置を検出し、検出したペン型入力器２００、３００の位置に基づき、描画に係る設定を受け付ける設定メニュー２００Ａ、３００Ａを、各ペン型入力器２００、３００の近くに表示する。【選択図】図９
2014174931.tif 000002
【特許請求の範囲】
【請求項１】
自器の識別データを夫々有し、描画に係る指示を行なう複数の描画器から、該指示を受け付け、該指示に基づいて画像が表示される表示画面を有する描画装置において、
前記表示画面上の各描画器の位置を検出するタッチパネル部と、
検出された描画器の位置に基づき、描画に係る設定を受け付ける設定受付画像を、描画器の数だけ表示する表示手段と
を備えることを特徴とする描画装置。
【請求項２】
各描画器から識別データを取得する取得手段を備え、
取得された識別データ及び前記タッチパネル部の検出結果に基づき、前記表示手段は、各描画器の位置から特定範囲内に、対応する設定受付画像を表示するように構成してあることを特徴とする請求項１に記載の描画装置。
【請求項３】
前記設定受付画像を表示する位置を決定する決定手段と、
該決定手段によって決定された位置に、既に他の設定受付画像が表示されている場合、位置変更の可否を判定する判定手段とを備え、
該判定手段により位置変更可能であると判定された場合、前記決定手段が前記位置を変更するように構成してあることを特徴とする請求項１又は２に記載の描画装置。
【請求項４】
該判定手段により位置変更不可能であると判定された場合、前記表示手段は、表示すべき設定受付画像を半透過にて表示するように構成してあることを特徴とする請求項３に記載の描画装置。
【請求項５】
何れかの描画器に係る描画終了の指示を受け付けた場合、他の描画器における描画終了の可否の選択を受け付ける選択受付手段を備え、
該選択受付手段が受け付けた選択に基づき、描画の実行を終了するように構成してあることを特徴とする請求項１から４の何れかに記載の描画装置。
【発明の詳細な説明】
【技術分野】
【０００１】
本発明は、自器の識別データを夫々有し、描画に係る指示を行なう複数の描画器から、該指示を受け付け、該指示に基づいて画像が表示される表示画面を有する描画装置に関する。
【背景技術】
【０００２】
近年、集合会議等に用いられる電子ホワイトボードが広く普及されている。このような電子ホワイトボードの多くは、大型の表示画面と、入力位置の座標を検知するタッチパネルとを備えており、ペン型入力器の入力位置に関する座標及び移動量の情報を逐次読取り、読取った情報を元に前記表示画面に描画が行なわれる。
【０００３】
特許文献１においては、１名の利用者による使用を前提に、ペン型入力器の近傍に処理コマンドに係るアイコン等を表示する情報処理装置が開示されている。
【先行技術文献】
【特許文献】
【０００４】
【特許文献１】特開平８−３２０７５５号公報
【発明の概要】
【発明が解決しようとする課題】
【０００５】
一方、表示画面の大型化が進む中、複数の利用者によって描画が行なわれる場合が生じ得る。しかしながら、上述したような従来の電子ホワイトボード及び特許文献１の情報処理装置は、一人による利用を前提としているので、上述したように、複数の利用者によって描画が行なわれる場合、換言すれば、複数のペン型入力器が用いられる場合に対しては対応できない。
【０００６】
本発明は、斯かる事情に鑑みてなされたものであり、その目的とするところは、自器の識別データを夫々有し、描画に係る指示を行なう複数の描画器から、該指示を受け付け、該指示に基づいて画像が表示される表示画面を有する描画装置において、前記表示画面上の各描画器の位置を検出し、検出した描画器の位置に基づき、描画に係る設定を受け付ける設定受付画像を、描画器の数だけ表示することにより、複数の描画器が用いられる場合に対して対応できるうえで、描画を行うにあたり、各利用者の利便性を高めることができる描画装置を提供する。
【課題を解決するための手段】
【０００７】
本発明に係る描画装置は、自器の識別データを夫々有し、描画に係る指示を行なう複数の描画器から、該指示を受け付け、該指示に基づいて画像が表示される表示画面を有する描画装置において、前記表示画面上の各描画器の位置を検出するタッチパネル部と、検出された描画器の位置に基づき、描画に係る設定を受け付ける設定受付画像を、描画器の数だけ表示する表示手段とを備えることを特徴とする。
【０００８】
本発明にあっては、前記タッチパネル部が前記表示画面上の各描画器の位置を検出する。該タッチパネル部によって検出された描画器の位置に基づいて、描画器の数が特定できるので、前記表示手段が前記設定受付画像を、描画器の数だけ前記表示画面に表示する。
【０００９】
本発明に係る描画装置は、各描画器から識別データを取得する取得手段を備え、取得された識別データ及び前記タッチパネル部の検出結果に基づき、前記表示手段は、各描画器の位置から特定範囲内に、対応する設定受付画像を表示するように構成してあることを特徴とする。
【００１０】
本発明にあっては、前記タッチパネル部が複数の描画器の夫々の位置を検出した場合、前記取得手段は各描画器に係る識別データを取得する。この際、前記表示手段は、取得された識別データ及び前記タッチパネル部の検出結果に基づき、前記表示画面上の各描画器の位置から特定範囲内に、各描画器に対応する設定受付画像を夫々表示する。
【００１１】
本発明に係る描画装置は、前記設定受付画像を表示する位置を決定する決定手段と、該決定手段によって決定された位置に、既に他の設定受付画像が表示されている場合、位置変更の可否を判定する判定手段とを備え、該判定手段により位置変更可能であると判定された場合、前記決定手段が前記位置を変更するように構成してあることを特徴とする。
【００１２】
本発明にあっては、前記決定手段が前記設定受付画像を表示すべき位置として所定の位置を決定した場合、前記判定手段が、決定された所定の位置に、既に他の設定受付画像が表示されているか否かを判定する。例えば、他の設定受付画像が既に表示されていると判定された場合、前記判定部は、決定された所定の位置の変更が可能か否かを判定する。該判定手段が、前記決定手段によって決定された所定の位置の変更が可能であると判定した場合、前記決定手段が他の設定受付画像と重畳しないように、再決定を行なう。
【００１３】
本発明に係る描画装置は、該判定手段により位置変更不可能であると判定された場合、前記表示手段は、表示すべき設定受付画像を半透過にて表示するように構成してあることを特徴とする。
【００１４】
本発明にあっては、前記決定手段によって決定された位置の変更が不可能であると前記判定手段が判定した場合、前記表示手段は、表示すべき設定受付画像を半透過にして、既に表示されている他の設定受付画像に重ねて表示する。
【００１５】
本発明に係る描画装置は、何れかの描画器に係る描画終了の指示を受け付けた場合、他の描画器における描画終了の可否の選択を受け付ける選択受付手段を備え、該選択受付手段が受け付けた選択に基づき、描画の実行を終了するように構成してあることを特徴とする。
【００１６】
本発明にあっては、例えば、複数の描画器の中、一の描画器の利用者が描画を終了する旨を指示したことにより、斯かる指示を受け付けた場合、前記描画装置は、他の描画器の利用者に描画の実行を終了しても良いか否かの選択を促す。前記選択受付手段は、他の描画器の利用者から他の描画器における描画終了の可否の選択を受け付け、該選択受付手段が受け付けた選択に基づき、描画の実行が終了される。
【発明の効果】
【００１７】
本発明によれば、前記表示画面上の複数の描画器の位置を検出し、検出した各描画器の位置に基づき、前記設定受付画像を、描画器の数だけ前記表示画面に表示することにより、複数の描画器が用いられる場合に対して対応できるうえで、描画を行うにあたり、各利用者の利便性を高めることができる。
【図面の簡単な説明】
【００１８】
【図１】本発明の実施の形態に係る電子ホワイトボードを概念的に表示した概念図である。
【図２】本発明の実施の形態に係る電子ホワイトボードの要部構成を示す機能ブロック図である。
【図３】本発明の実施の形態に係る電子ホワイトボードにおける、制御部の要部構成を示す機能ブロック図である。
【図４】本発明の実施の形態に係る電子ホワイトボードにおける、設定メニューの表示位置の決定を説明する説明図である。
【図５】本発明の実施の形態に係る電子ホワイトボードのタッチパネル部における、光の走査の処理を説明する機能ブロック図である。
【図６】本発明の実施の形態の電子ホワイトボードにおける、走査及び遮光物との接触位置の検出を説明する説明図である。
【図７】本発明の実施の形態における電子ホワイトボードにおいて行なわれる描画の処理を説明するフローチャートである。
【図８】本発明の実施の形態における電子ホワイトボードにおいて行なわれる設定メニューの表示及び描画を説明するフローチャートである。
【図９】本発明の実施の形態における電子ホワイトボードにおいて行なわれる設定メニューの表示及び描画の一例を示す例示図である。
【図１０】本発明の実施の形態における電子ホワイトボードにおいて行なわれる設定メニューの表示を説明するフローチャートである。
【図１１】本発明の実施の形態における電子ホワイトボードにおいて行なわれる設定メニューの表示を説明する説明図である。
【発明を実施するための形態】
【００１９】
以下に、本発明の実施の形態に係る描画装置をいわゆる電子ホワイトボードに適用し、図面に基づいて詳述する。
【００２０】
図１は本発明の実施の形態に係る電子ホワイトボード１００を概念的に表示した概念図である。本発明の実施の形態に係る電子ホワイトボード１００は、複数のペン型入力器２００、３００（描画器）による描画が実行できるように構成されている。
【００２１】
すなわち、本発明に係る電子ホワイトボード１００は、ペン型入力器２００、３００からの描画に係る指示（以下、描画指示という。）に応じて、描画の処理の実行を行なう。
【００２２】
また、ペン型入力器２００、３００は、電子ホワイトボード１００と無線通信ができるように構成されており、描画指示を送信する際、自器を特定する識別データを共に送信する。これによって、電子ホワイトボード１００は、描画指示の送信元がどのペン型入力器であるか確認することができる。電子ホワイトボード１００は受け付けた描画指示と、その送信元であるペン型入力器（識別データ）とを関連付けて記憶する。
【００２３】
電子ホワイトボード１００は、描画の処理によって線図が表示される矩形の表示画面１０１を有する表示部１００Ａと、後述する方法によって、ペン型入力器２００、３００の位置を検出し、又は表示画面１０１上の所定位置の位置指定を受け付けるタッチパネル部１００Ｂとを備えている。
【００２４】
本発明の実施の形態のタッチパネル部１００Ｂは、赤外線を発光する発光素子及び赤外線を受光する受光素子を備え、遮光物の位置を検出する、いわゆる赤外線遮断式タッチパネルである。
【００２５】
図２は本発明の実施の形態に係る電子ホワイトボード１００の要部構成を示す機能ブロック図である。
【００２６】
表示部１００Ａは、例えばＬＣＤ又はＥＬ（Electroluminescence）パネル等の表示画面１０１を備え、ペン型入力器２００、３００から送信される描画指示、及びタッチパネル部１００Ｂによるペン型入力器２００、３００の位置の検出の結果に基づいて、文字、線図を表示画面１０１に表示する。また、タッチパネル部１００Ｂは走査部９を備えている。
【００２７】
その他、電子ホワイトボード１００は、制御部１と、ＲＯＭ２と、ＲＡＭ３、通信部５、記憶部６とを備えており、電子ホワイトボード１００は通信部５を介してペン型入力器２００、３００から描画に係るデータ、描画指示、識別データ等の受信を行う。
【００２８】
制御部１は、走査部９による走査結果に係る座標に基づき、文字、線図等の描画を表示部１００Ａに指示し、表示部１００Ａは該指示に応じて表示画面１０１に文字、線図等を表示する。
【００２９】
ＲＯＭ２には制御プログラムが予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００３０】
制御部１は、ＲＯＭ２に予め格納されている制御プログラムをＲＡＭ３上にロードして実行することによって、バスを介して上述した各種ハードウェアの制御を行い、電子ホワイトボード１００を機能させる。
【００３１】
通信部５はペン型入力器２００、３００から前記描画指示、前記識別データ等を受信する。通信部５はペン型入力器２００、３００の通信部に対応して、例えば、Ｂｌｕｅｔｏｏｔｈ（登録商標）、ＺｉｇＢｅｅ（登録商標）等の無線通信を行なうように構成されている。
【００３２】
記憶部６は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部６は、ペン型入力器２００、３００から受信された前記識別データ毎に対応する描画指示等を記憶する。更に、記憶部６には、描画処理を実行するためのアプリケーションが格納されている。
【００３３】
図３は本発明の実施の形態に係る電子ホワイトボード１００における、制御部１の要部構成を示す機能ブロック図である。制御部１は、ＣＰＵ１１と、座標検出部１２と、遮光物管理部１３と、情報統合部１４と、取得部１５と、描画部１６と、表示制御部１７と、決定部１８と、判定部１９と、選択受付部２０とを備えている。
【００３４】
座標検出部１２は、表示画面１０１上における、遮光物（例えば、ペン型入力器２００、３００）の座標を検出する。詳しくは、タッチパネル部１００Ｂによって、表示部１００Ａの表示画面１０１上の光遮断が検出された場合に送られる、後述する強度信号に基づき、斯かる遮光物の座標を検出する。
【００３５】
遮光物管理部１３は、走査部９の走査によって検出される遮光物の位置（座標）を管理する。例えば、遮光物管理部１３は、斯かる遮光物が移動する場合、遮光物の移動跡を表す座標履歴を記憶する。
【００３６】
情報統合部１４は、座標検出部１２により検出された座標と、例えば、通信部５を介してペン型入力器２００、３００から受信した描画指示に係るデータ等を統合して、描画処理に係る描画データの生成を行う。
【００３７】
取得部１５は、通信部５を介して、ペン型入力器２００、３００から夫々の識別データを受信して取得し、記憶部６に格納する。
【００３８】
描画部１６は、記憶部６に記憶されている描画処理を実行するためのアプリケーションを用いて、情報統合部１４によって生成された描画データに基づき、表示画面１０１に表示する画像を生成し、生成した画像を表示画面１０１へ画像信号として出力することによって、描画を行う。
【００３９】
表示制御部１７は、利用者から描画に係る設定を受け付けるウィンドウである設定メニュー（設定受付画像）を表示画面１０１に表示する。該設定メニューには、例えば、線図の色、削除、終了等の設定を受け付けるためのソフトキーが設けられている。
【００４０】
より詳しくは、表示制御部１７は、決定部１８によって決定された位置に前記設定メニューを表示し、タッチパネル部１００Ｂによるペン型入力器２００、３００の位置の検出結果に基づき、既に表示されている設定メニューの位置を変更して表示し、判定部１９による判定結果に基づき、前記設定メニューを半透過にして表示する。更に、表示制御部１７は、特定条件の下、後述する終了確認通知画面を表示する。
【００４１】
選択受付部２０は、前記終了確認通知画面を介して、ペン型入力器２００又はペン型入力器３００の利用者から、描画を終了するか否かの選択を受け付ける。
すなわち、何れかのペン型入力器（例えば、ペン型入力器２００）の利用者が描画を終了するため、ペン型入力器２００に取り付けられたタクトスイッチをオフにし、又は前記設定メニューを介して描画を終了する旨の指示（描画終了の指示）を行なった場合、表示制御部１７は表示画面１０１に前記終了確認通知画面を表示する。該終了確認通知画面には、描画（描画処理）の実行を終了しても良いか否かを問うテキストと、利用者の選択を受け付けるための「はい」、「いいえ」のソフトキー等が設けられており、前記描画終了の指示を行なった利用者以外の利用者（例えば、ペン型入力器３００）に対して表示される。該終了確認通知画面は、例えば、当該設定メニューの付近に表示する。
【００４２】
決定部１８は、前記設定メニューを表示する位置を決定する。決定部１８は、タッチパネル部１００Ｂによるペン型入力器の位置の検出結果に基づいて、前記設定メニューの表示位置を決定する。
【００４３】
図４は本発明の実施の形態に係る電子ホワイトボード１００における、設定メニューの表示位置の決定を説明する説明図である。
例えば、タッチパネル部１００Ｂが表示画面１０１におけるペン型入力器２００の位置を検出した場合、決定部１８は、ペン型入力器２００の検出された位置（以下、検出位置と言う）が、表示画面１０１の左側か、右側かを判定し、左側である場合は、前記検出位置より更に左方向に２０cmの位置を、右側である場合は、前記検出位置より更に右方向に２０cm位置を前記設定メニューを表示すべき位置として決定する。決定部１８により決定された位置（以下、決定表示位置と言う）は、ペン型入力器２００（識別データ）に関連付けて記憶部６に記憶される。
【００４４】
判定部１９は、記憶部６に記憶されている決定表示位置に基づいて、設定メニューを表示すべき位置として決定部１８により決定された決定表示位置に、既に他の設定メニューが表示されているか確認し、既に他の設定メニューが表示されている場合は、前記決定表示位置を変更できるか否かを判定する。
【００４５】
例えば、ペン型入力器３００の検出位置が、表示画面１０１の左側であり、決定部１８が、更に左方向に２０cmの位置を決定表示位置（第１位置）として決定したが、斯かる位置には、既にペン型入力器２００に係る設定メニューが表示されている場合が想定される（図４参照）。このような場合、ペン型入力器２００に係る設定メニューとの重畳をさけるべく、決定部１８は、例えば、前記第１位置より更に左側に所定距離離れた位置（第２位置）を再決定し、判定部１９が前記判定を再び行なう。しかし、図４に示すように、第２位置は、すなわち、既にペン型入力器２００に係る設定メニューが表示されている第１位置より更に左側は、表示画面１０１の範囲を越えるものであるので、この場合、判定部１９は決定表示位置の変更は出来ないと判定する。
【００４６】
一方、ＣＰＵ１１は、走査部９の発光素子及び受光素子の制御を行なう。
【００４７】
タッチパネル部１００Ｂは、上記したように、赤外線遮断式タッチパネルである。すなわち、ペン型入力器２００、３００の先端が表示部１００Ａの表示画面１０１をタッチする際、光遮断が検出されることによって、斯かる遮光物（ペン型入力器２００、３００）の位置を検出する。すなわち、走査結果、受光素子から得られる信号（強度信号）が制御部１に送出され、これに基づき、座標検出部１２は斯かる遮光物の座標を検出する。このようにして、タッチパネル部１００Ｂは、ユーザから表示部１００Ａ（表示画面１０１）上の位置指定、文字、線画等の入力を受け付ける。
【００４８】
タッチパネル部１００Ｂの走査部９は、表示部１００Ａの表示画面１０１に沿って赤外線の光（以下、赤外光といいう）を走査する。走査部９は、赤外光を照射する複数の発光素子を有する発光部９１と、対応する発光素子からの赤外光を受光する複数の受光素子を有する受光部９２と、制御部１（ＣＰＵ１１）からの発光信号及び受光信号を夫々の発光部９１及び受光部９２に割り当てるアドレスデコーダ９３と、光遮断の検出に用いられる受光部９２からのアナログ信号をデジタル信号に変換するＡ／Ｄコンバータ９４とを更に備えている。
【００４９】
図５は本発明の実施の形態に係る電子ホワイトボード１００のタッチパネル部１００Ｂにおける、光の走査の処理を説明する機能ブロック図である。
【００５０】
発光部９１は、図示しないマルチプレクサを有しており、発光素子の夫々は該マルチプレクサに接続されている。また、受光部９２も、図示しないマルチプレクサを有しており、受光素子の夫々は該マルチプレクサに接続されている。更に、発光部９１の各発光素子は、受光部９２の何れか一つ受光素子と対応（対向）するように構成されている。
【００５１】
制御部１のＣＰＵ１１は、複数の発光素子を発光させるための発光信号をアドレスデコーダ９３Ａへ出力すると共に、複数の受光素子を受光させるための受光信号をアドレスデコーダ９３Ｂへ出力する。アドレスデコーダ９３Ａは、ＣＰＵ１１からの信号に応じて、発光素子の内、発光に係る何れかの発光素子を特定する信号を発光部９１に出力し、またアドレスデコーダ９３Ｂは、ＣＰＵ１１からの信号に応じて、受光素子の内で、前記特定された発光素子に対応する受光素子を特定する信号を受光部９２に出力する。
【００５２】
このように特定された発光素子は赤外光を発光し、対応する受光素子は赤外光を受光する。この際、該受光素子によって受光した赤外光の強度を電圧値で示す強度信号がＡ／Ｄコンバータ９４に出力される。Ａ／Ｄコンバータ９４は前記強度信号を例えば、８ビットのデジタル信号に変換し、変換後の強度信号を制御部１に出力する。制御部１は、全ての受光素子からの強度信号を取得するために、各受光素子から強度信号を取得する処理を順次繰り返す。
【００５３】
制御部１のＣＰＵ１１は、各受光素子から取得した強度信号に基づき、該受光素子での受光量を計算する。ＣＰＵ１１は、計算された受光量が予め定められている閾値を超過している場合は、当該受光素子が受光する赤外光の光路は遮断されていないと判定する。また、計算された受光量が、予め定められている閾値以下である場合は、当該受光素子が受光する赤外光の光路が遮断されていると判定する。
【００５４】
このようなＣＰＵ１１の判定結果に基づき、座標検出部１２はペン型入力器２００、３００と表示画面１０１との接触の位置を検出する。すなわち、座標検出部１２は赤外光の光路が遮断されている受光素子を特定し、特定された受光素子の位置に基づき、表示部１００Ａの表示画面１０１上における、ペン型入力器２００、３００の先端部の位置、すなわち、接触の座標を検出する処理を行う。
【００５５】
以下に、前記走査及び遮光物との接触位置の検出について詳しく説明する。図６は本発明の実施の形態の電子ホワイトボード１００における、走査及び遮光物との接触位置の検出を説明する説明図である。
【００５６】
上述したように、表示部１００Ａの表示画面１０１は矩形であり、表示画面１０１の図面視右側及び下側には、表示部１００Ａの縁に沿って複数の発光素子９１１、９１１、…の列が並設されている。発光素子９１１は、例えば、赤外光を発光する発光ダイオード（ＬＥＤ）である。図中には、各発光素子９１１が発光する赤外光の光路を実線の矢印にて示している。
【００５７】
右側の複数の発光素子９１１、９１１、…は、夫々の発光素子９１１が発光する赤外光の光路が表示画面１０１に沿って互いに平行をなすように設けられており、下側の発光素子９１１、９１１、…も同様に設けられている。
【００５８】
すなわち、図６において左右方向（ｘ軸方向）に並設された下側の発光素子９１１、９１１、…と、上下方向（ｙ軸方向）に並設された右側の複数の発光素子９１１、９１１、…とは、その光路が相互直交するように設けられている。
【００５９】
また、表示部１００Ａの表示画面１０１上であって、発光素子９１１、９１１、…と対向する位置には、受光素子９２１、９２１、…が設けられている。
【００６０】
すなわち、表示部１００Ａの表示画面１０１の左側及び上側には、縁に沿って複数の受光素子９２１、９２１、…の列が並設されている。受光素子９２１は、赤外光を受光する受光ダイオードである。発光素子９１１、９１１、…からの赤外光は、対向配置された受光素子９２１、９２１、…によって受光されるように構成されている。
【００６１】
発光素子の場合と同様に、上側の受光素子９２１、９２１、…と、左側の受光素子９２１、９２１、…とは、受光すべき赤外光の光路が相互直交するように設けられている。
【００６２】
走査部９は、表示部１００Ａの表示画面１０１における、Ｘ軸方向の一端から他端まで、またＹ軸方向の一端から他端まで、１つずつ発光素子９１１を順次発光させていき、表示部１００Ａの表示画面１０１における、ペン型入力器２００、３００との接触位置が上述したように検出される。
【００６３】
ペン型入力器２００、３００は、電子ホワイトボード１００（通信部５）と通信可能に構成されており、電子ホワイトボード１００に描画指示を行なう。以下、ペン型入力器２００、３００について説明する。また、ペン型入力器２００及びペン型入力器３００は同一の構成を有するので、ペン型入力器２００についてのみ説明する。
【００６４】
ペン型入力器２００は、ユーザがペン型入力器２００を用いて描画を行なう際、表示部１００Ａの表示画面１０１と接触する接触部（図示せず）と、自器の識別データ、前記描画指示に係るデータ（描画指示データ）を送信する通信部（図示せず）とを備えている。該描画指示とは、例えば、ペン型入力器２００のオンオフ情報、描画によって表示される線図の太さ情報等を含む。
【００６５】
ペン型入力器２００の通信部（以下、入力器側通信部と言う）は、電子ホワイトボード１００の通信部５に対応し、Ｂｌｕｅｔｏｏｔｈ、ＺｉｇＢｅｅ等の無線通信を行なうように構成されている。
【００６６】
例えば、ユーザがペン型入力器２００を握って表示部１００Ａの表示画面１０１に描画を行なう際、前記接触部の先端と、表示画面１０１との接触による接触圧が測定される。換言すれば、該接触の際、前記接触部にかかる圧力（以下、筆圧という）が、例えば、歪みセンサを用いて検知され、検出された筆圧が前記入力器側通信部を介して電子ホワイトボード１００に送信される。該筆圧によって、描画されるべき線の太さ等が変更される。
【００６７】
また、前記入力器側通信部は、前記接触部が表示画面１０１と接触する都度、前記識別データを電子ホワイトボード１００に送信する。
【００６８】
なお、上述した座標検出部１２と、遮光物管理部１３と、情報統合部１４と、取得部１５と、描画部１６と、表示制御部１７と、決定部１８と、判定部１９と、選択受付部２０とは、ハードウェアロジックによって構成してもよいし、ＣＰＵ１１が所定のプログラムを実行することにより、ソフトウェア的に構築されてもよい。
【００６９】
図７は本発明の実施の形態における電子ホワイトボード１００において行なわれる描画の処理を説明するフローチャートである。説明の便宜上、二人の利用者がペン型入力器２００及びペン型入力器３００を夫々利用する場合を例として説明する。
【００７０】
例えば、一の利用者がペン型入力器２００を持って、他の利用者がペン型入力器３００を持ち、表示画面１０１の前に立っている場合、ペン型入力器２００及びペン型入力器３００の入力器側通信部と、電子ホワイトボード１００の通信部５とのペアリングにより、通信が可能となる。
【００７１】
ＣＰＵ１１は、例えば、前記ペアリングの際に応答があったペン型入力器の数に基づき、受信可能な入力器の数（Ｎ）を検出する（ステップＳ１０１）。本実施の形態においては、ペン型入力器２００及びペン型入力器３００が用いられており、受信可能な入力器の数（Ｎ）は「２」である。
【００７２】
次いで、ＣＰＵ１１は、受信可能な入力器の数（Ｎ）が「０」より大きいか否かを判定する（ステップＳ１０２）。
【００７３】
ＣＰＵ１１は、受信可能な入力器の数（Ｎ）が「０」より小さいと判定した場合（ステップＳ１０２：ＮＯ）、すなわち、受信可能な入力器がないと判定した場合、処理をステップＳ１０１に戻す。
【００７４】
また、本実施の形態においては、受信可能な入力器の数（Ｎ）が「２」であるので、ＣＰＵ１１は、受信可能な入力器の数（Ｎ）が「０」より大きいと判定し（ステップＳ１０２：ＹＥＳ）、第Ｎ入力器の操作があったか否かを判定する（ステップＳ１０３）。以下、説明の便宜上、ペン型入力器２００及びペン型入力器３００を夫々第１入力器及び第２入力器として説明する。
【００７５】
斯かる判定は、上述したように、ペン型入力器２００、３００において、夫々の接触部が表示画面１０１と接触する都度、自器の識別データが電子ホワイトボード１００に送信され、電子ホワイトボード１００の取得部１５がこれを取得する。この際、斯かるペン型入力器の描画指示データも電子ホワイトボード１００に送信される。これらを受信した電子ホワイトボード１００は、ペン型入力器の識別データ毎に対応する描画指示データを記憶部６に記憶する。
【００７６】
従って、ＣＰＵ１１は記憶部６の記憶内容に基づいて、ステップＳ１０３での斯かる判断を行なう。
【００７７】
ＣＰＵ１１は、第Ｎ入力器の操作がないと判定した場合（ステップＳ１０３：ＮＯ）、換言すれば、現に「Ｎ」は「２」であるので、第２入力器の操作がないと判定した場合、「Ｎ−１」を「Ｎ」に代入し（ステップＳ１０９）、処理を再びステップＳ１０２に戻す。
【００７８】
現に「Ｎ」は「２」であるので、「Ｎ−１」は１であるので、「Ｎ」は「１」になる。以降、「Ｎ」が「１」であるとして、ステップＳ１０２及びステップＳ１０３での処理が行われる。
【００７９】
「Ｎ」が「１」である場合であって、ステップＳ１０３にて、第Ｎ入力器の操作がないと判定された場合（ステップＳ１０３：ＮＯ）、ステップＳ１０９にて「Ｎ」は「０」となる。従って、ステップＳ１０２の処理に戻った場合、受信可能な入力器の数（Ｎ）が「０」より小さいと判定され（ステップＳ１０２：ＮＯ）、処理がステップＳ１０１に戻される。
【００８０】
すなわち、第１入力器〜第Ｎ入力器の操作に関して、順次入力器毎に対応する処理が行われ、第Ｎ入力器までの処理が終わると再び受信可能な入力器の数（Ｎ）を検出し、受信可能な入力器の数（Ｎ）の変動に備える。
【００８１】
一方、ステップＳ１０３にて、ＣＰＵ１１が第Ｎ入力器の操作があったと判定した場合（ステップＳ１０３：ＹＥＳ）、第Ｎ入力器の設定メニューの表示及び描画が行なわれるサブルーチンの処理が実行される（ステップＳ１０４）。
【００８２】
図８は本発明の実施の形態における電子ホワイトボード１００において行なわれる設定メニューの表示及び描画を説明するフローチャートである。
【００８３】
座標検出部１２は、タッチパネル部１００Ｂからの信号に基づいて、第Ｎ入力器の位置を検出する（ステップＳ２０１）。座標検出部１２による座標の検出については、既に説明しており、詳しい説明は省略する。
【００８４】
次いで、タッチパネル部１００Ｂによる第Ｎ入力器の位置の検出結果に基づいて決定部１８が決定した位置に、表示制御部１７が前記設定メニューを表示するサブルーチンの処理を実行する（ステップＳ２０２）。該処理については後で詳しく説明する。
【００８５】
以降、ＣＰＵ１１は、第Ｎ入力器から描画指示を受け付けたか否かを判定する（ステップＳ２０３）。斯かる判定は、ＣＰＵ１１が記憶部６又は通信部５を監視することにより、前記描画表示データを受信したか否か判定することにより行なわれる。
【００８６】
ＣＰＵ１１が第Ｎ入力器から描画指示を受け付けたと判定した場合（ステップＳ２０３：ＹＥＳ）、描画部１６は、受信した描画指示データに基づき、記憶部６に記憶されている描画処理を実行するためのアプリケーションを用いて、表示画面１０１に表示すべき画像を生成し、生成した画像を表示画面１０１に出力することによって、描画の処理を行う（ステップＳ２０４）。
【００８７】
一方、ＣＰＵ１１は、第Ｎ入力器から描画指示を受け付けていないと判定した場合（ステップＳ２０３：ＮＯ）、設定メニューに係る指示であるか否かを判定する（ステップＳ２０５）。すなわち、ＣＰＵ１１は、タッチパネル部１００Ｂからの信号に基づいて、前記設定メニューの何れかのソフトキーが操作されたか否かを判定する。
【００８８】
ＣＰＵ１１は、設定メニューに係る指示でないと判定した場合（ステップＳ２０５：ＮＯ）、処理をステップＳ２０３に戻す。
【００８９】
また、ＣＰＵ１１は、設定メニューに係る指示であると判定した場合（ステップＳ２０５：ＹＥＳ）、斯かる指示が描画を終了する旨の指示であるか否かを判定する（ステップＳ２０６）。斯かる判定は、ＣＰＵ１１が、タッチパネル部１００Ｂからの信号に基づいて、利用者（第Ｎ入力器）により操作された設定メニューのソフトキーが「終了」ソフトキーであるか否かを判定することにより行なわれる。
【００９０】
ＣＰＵ１１は、前記設定メニューに係る指示が描画を終了する旨の指示であると判定した場合（ステップＳ２０６：ＹＥＳ）、描画を終了する旨の指示を受け付けたことをＲＡＭ３に記憶し（ステップＳ２０８）、処理を終了する。
【００９１】
一方、ＣＰＵ１１が、前記設定メニューに係る指示が描画を終了する旨の指示でないと判定した場合（ステップＳ２０６：ＮＯ）、利用者（第Ｎ入力器）により、「終了」ソフトキー以外のソフトキーが操作されたとみなされる。
【００９２】
従って、このような場合、ＣＰＵ１１は、タッチパネル部１００Ｂからの信号に基づいて、利用者（第Ｎ入力器）により操作されたソフトキーを特定し、特定結果に応じて、描画の設定（色、削除等）を変更する（ステップＳ２０７）。
【００９３】
図９は本発明の実施の形態における電子ホワイトボード１００において行なわれる設定メニューの表示及び描画の一例を示す例示図である。
【００９４】
本実施の形態においては、上述したように、二人の利用者がペン型入力器２００及びペン型入力器３００を夫々利用する場合を例にしている。従って、図９に示すように、表示画面１０１の左側で描画が行われるペン型入力器２００の左方向には対応する設定メニュー２００Ａが表示されており、右側で描画が行われるペン型入力器３００の右方向には対応する設定メニュー３００Ａが表示されている。
【００９５】
再び、図７の説明に戻る。以上のように、第Ｎ入力器の設定メニューの表示及び描画が行なわれた後、ＣＰＵ１１は描画を終了する旨の指示を受け付けたか否かを判定する（ステップＳ１０５）。斯かる判定は、ＣＰＵ１１がＲＡＭ３に斯かる指示を受け付けた旨が記憶されているか否かを確認することにより行なわれる。
【００９６】
ＣＰＵ１１は描画を終了する旨の指示を受け付けていないと判定した場合（ステップＳ１０５：ＮＯ）、処理をステップＳ１０９に戻す。
【００９７】
また、ＣＰＵ１１が描画を終了する旨の指示を受け付けたと判定した場合（ステップＳ１０５：ＹＥＳ）、表示制御部１７が前記終了確認通知画面を表示画面１０１に表示することにより、終了の確認の通知を行なう（ステップＳ１０６）。
【００９８】
例えば、ペン型入力器２００の利用者が描画を終了するため、前記設定メニューの「終了」ソフトキーを操作した場合、表示制御部１７は設定メニュー３００Ａの付近に前記終了確認通知画面を表示して、ペン型入力器３００の利用者に終了の確認の通知を行なう。
【００９９】
この際、選択受付部２０は、前記終了確認通知画面を介して、ペン型入力器２００以外のペン型入力器の利用者から、描画を終了するか否かの選択を受け付ける。
【０１００】
ＣＰＵ１１は、選択受付部２０が受け付けた選択に基づき、ペン型入力器２００を除く全てのペン型入力器の利用者から、描画を終了する旨の選択を受け付けたか否かを判定する（ステップＳ１０７）。
【０１０１】
例えば、ペン型入力器２００を除く全てのペン型入力器（本実施の形態ではペン型入力器３００のみ）の利用者が前記終了確認通知画面の「はい」ソフトキーを操作して選択した場合、ＣＰＵ１１は、ペン型入力器２００を除く全てのペン型入力器の利用者から、描画を終了する旨の選択を受け付けたと判定し（ステップＳ１０７：ＹＥＳ）、描画の処理を終了させる（ステップＳ１０８）。
【０１０２】
一方、ＣＰＵ１１は、ペン型入力器２００を除く全てのペン型入力器の利用者から、描画を終了する旨の選択を受け付けていないと判定した場合（ステップＳ１０７：ＮＯ）、処理をステップＳ１０９に戻す。
【０１０３】
図１０は本発明の実施の形態における電子ホワイトボード１００において行なわれる設定メニューの表示を説明するフローチャートである。説明の便宜上、既にペン型入力器２００に係る設定メニュー２００Ａが表示画面１０１に表示されている状態で、ペン型入力器３００に係る設定メニュー３００Ａが表示される場合を例として説明する。また設定メニュー２００Ａの表示位置は記憶部６に記憶されている。
【０１０４】
決定部１８は、タッチパネル部１００Ｂが表示画面１０１におけるペン型入力器３００の位置を検出した場合、ペン型入力器３００の検出位置に基づき、対応する設定メニュー３００Ａを表示すべき位置（決定表示位置）を決定する（ステップＳ３０１）。
【０１０５】
判定部１９は、決定部１８によって決定された決定表示位置と、記憶部６に記憶されている設定メニュー２００Ａの表示位置とを比較することにより、設定メニュー３００Ａを表示すべき前記決定表示位置に他の設定メニューが既に表示されているか否かを判定する（ステップＳ３０２）。
【０１０６】
判定部１９が前記決定表示位置に他の設定メニューが表示されていないと判定した場合（ステップＳ３０２：ＮＯ）、表示制御部１７は前記決定表示位置に設定メニュー３００Ａを表示する（ステップＳ３０５）。
【０１０７】
また、判定部１９は、前記決定表示位置に他の設定メニューが既に表示されていると判定した場合（ステップＳ３０２：ＹＥＳ）、該決定表示位置を変更できるか否かを判定する（ステップＳ３０３）。判定部１９による斯かる判定については既に説明しており、詳しい説明を省略する。
【０１０８】
判定部１９が、決定表示位置を変更できると判定した場合（ステップＳ３０３：ＹＥＳ）、表示制御部１７は、ステップＳ３０２にて決定された前記決定表示位置でなく、他の変更した位置に設定メニュー３００Ａを表示する（ステップＳ３０４）。
【０１０９】
図１１は本発明の実施の形態における電子ホワイトボード１００において行なわれる設定メニューの表示を説明する説明図である。
【０１１０】
図１１に示すように、決定部１８によって決定された設定メニュー３００Ａの決定表示位置（Ｌ１）の近くに、既にペン型入力器２００に係る設定メニュー２００Ａが表示されている場合が生じ得る。このような場合、決定部１８は、設定メニュー２００Ａとの重畳をさけるべく、例えば、前記Ｌ１の位置より更に右側に所定距離離れた位置（Ｌ２）を再決定し、判定部１９は再決定された決定表示位置に他の設定メニューが既に表示されているか否かを再び判定する。表示制御部１７は、該判定の結果に応じて、再決定された決定表示位置（Ｌ２）に設定メニュー３００Ａを表示する。
【０１１１】
また、判定部１９が決定表示位置を変更できないと判定した場合（ステップＳ３０３：ＮＯ）、表示制御部１７は、ステップＳ３０２にて決定された前記決定表示位置に、設定メニュー３００Ａを半透過にして、設定メニュー２００Ａと重ねて表示する（ステップＳ３０６）。判定部１９が決定表示位置を変更できないと判定する場合については、既に説明しており、詳しい説明を省略する。
【０１１２】
以上においては、複数の利用者が夫々ペン型入力器を有して描画を行う場合を例にあげて説明したが、本発明に係る電子ホワイトボード１００はこれに限るものでない。例えば、利用者が指先にて描画を行うように構成してもよく、このような場合には、指先入力に対応できる設定メニューを表示するように構成しても良い。
【０１１３】
更に、以上においては、複数の利用者に対して、同一の設定メニューが表示される場合を例として説明したが、これに限るものでなく、利用者毎に設定メニューの属性（大きさ、色等）を異にして表示するように構成しても良い。
【０１１４】
本発明においては、自器の識別データを夫々有し、描画に係る指示を行なう複数の描画器２００、３００から、該指示を受け付け、該指示に基づいて画像が表示される表示画面１０１を有する描画装置１００において、前記表示画面１０１上の各描画器２００、３００の位置を検出するタッチパネル部１００Ｂと、検出された描画器２００、３００の位置に基づき、描画に係る設定を受け付ける設定受付画像２００Ａ、３００Ａを、描画器の数だけ表示する表示手段１７とを備えることを特徴とする。
本発明によれば、複数の描画器が用いられる場合に対して対応できるうえで、描画を行うにあたり、各利用者の利便性を高めることができる。
本発明においては、各描画器２００、３００から識別データを取得する取得手段１５を備え、取得された識別データ及び前記タッチパネル部１００Ｂの検出結果に基づき、前記表示手段１７は、各描画器２００、３００の位置から特定範囲内に、対応する設定受付画像２００Ａ、３００Ａを表示するように構成してあることを特徴とする。
本発明によれば、各描画器の位置から特定範囲内に、対応する設定受付画像が表示されるので、描画に係る設定を行う際、各利用者の利便性を高めることができる。
本発明においては、前記設定受付画像２００Ａ、３００Ａを表示する位置を決定する決定手段１８と、該決定手段１８によって決定された位置に、既に他の設定受付画像が表示されている場合、位置変更の可否を判定する判定手段１９とを備え、該判定手段１９により位置変更可能であると判定された場合、前記決定手段１８が前記位置を変更するように構成してあることを特徴とする。
本発明によれば、前記判定手段により位置変更可能であると判定された場合、前記決定手段が既決定の位置を変更し、既に表示されている他の設定受付画像との重畳をさけることができる。
本発明においては、該判定手段１９により位置変更不可能であると判定された場合、前記表示手段１７は、表示すべき設定受付画像を半透過にて表示するように構成してあることを特徴とする。
本発明によれば、前記判定手段により位置変更不可能であると判定された場合、前記表示手段は、表示すべき設定受付画像を半透過にして既に表示されている他の設定受付画像に重ねて表示することにより、利用者の設定受付画像の利用における不都合を改善する。
本発明においては、何れかの描画器２００、３００に係る描画終了の指示を受け付けた場合、他の描画器２００、３００における描画終了の可否の選択を受け付ける選択受付手段２０を備え、該選択受付手段２０が受け付けた選択に基づき、描画の実行を終了するように構成してあることを特徴とする。
本発明によれば、一の描画器に係る描画終了の指示を受け付けた場合、例えば、前記選択受付手段が他のすべての描画器において描画の終了が可能である旨の選択を受け付けた場合のみ、描画の実行を終了するので、他の描画器の利用者における不意打ちを防止できる。
【符号の説明】
【０１１５】
１５  取得部
１７  表示制御部（表示手段）
１８  決定部（決定手段）
１９  判定部（判定手段）
２０  選択受付部（選択受付手段）
１００Ｂ  タッチパネル部
１００  電子ホワイトボード（描画装置）
１０１  表示画面
２００、３００  ペン型入力器（描画器）
２００Ａ、３００Ａ  設定メニュー（設定受付画像）
【図１】
2014174931.tif 000003
【図２】
2014174931.tif 000004
【図３】
2014174931.tif 000005
【図４】
2014174931.tif 000006
【図５】
2014174931.tif 000007
【図６】
2014174931.tif 000008
【図７】
2014174931.tif 000009
【図８】
2014174931.tif 000010
【図９】
2014174931.tif 000011
【図１０】
2014174931.tif 000012
【図１１】
2014174931.tif 000013